Podtech/llm-jp-corpus-v4-ja_patent huggingface dataset:
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
複数の基板ホルダを第１のグループおよび第２のグループに分け、
前記複数の基板ホルダのそれぞれを、基板の処理条件を定めた第１のレシピまたは第２のレシピのいずれかに割り当て、
前記第１のレシピに従った第１の処理および前記第２のレシピに従った第２の処理を実行するために前記基板および前記基板ホルダを搬送する可能性のあるすべての搬送順序について総搬送時間を計算し、
前記総搬送時間を最短にする搬送順序を決定し、
前記決定された搬送順序に従って前記複数の基板を搬送しながら、前記第１のグループに属する基板ホルダを用いて１または複数の基板に対して前記第１の処理を実行し、前記第２のグループに属する基板ホルダを用いて１または複数の基板に対して前記第２の処理を実行することを特徴とする基板処理方法。
【請求項２】
基板を処理する複数の処理槽と、
複数の基板をそれぞれ保持する複数の基板ホルダと、
前記複数の基板ホルダを前記複数の処理槽に搬送する搬送装置とを用いた基板処理方法であって、
前記複数の基板ホルダを複数のホルダグループに分け、
前記複数の基板を処理目的に従って複数の基板グループに分け、
前記複数の基板グループのそれぞれを、前記複数のホルダグループのうちのいずれか１つに割り当て、
各基板グループに属する基板を保持するための基板ホルダを、その基板グループに割り当てられたホルダグループから選択し、
前記複数の基板のすべてに基板ホルダが割り当てられるまで、前記基板ホルダの選択を繰り返し、前記複数の基板と前記複数の基板ホルダとを搬送するシミュレーションを実行して、先頭基板が処理を開始してから最終基板が処理を終了するまでの総搬送時間を算出し、
前記複数の基板および前記複数の基板ホルダの搬送順序を変えながら、前記シミュレーションおよび前記総搬送時間の算出を繰り返し、
前記総搬送時間が最も短い搬送順序を決定し、
前記決定された搬送順序に従って、前記複数の基板と前記複数の基板ホルダを搬送することを特徴とする基板処理方法。
【請求項３】
前記基板の厚さ、前記基板の直径、または前記基板に形成された切り欠き部の形状に従って前記複数の基板を複数の基板グループに分けることを特徴とする請求項２に記載の基板処理方法。
【請求項４】
前記処理目的の異なる複数の基板を前記複数の処理槽で同時に処理することを特徴とする請求項２に記載の基板処理方法。
【請求項５】
前記複数の基板には基板番号が付されており、
前記搬送順序は、同一ホルダグループに属する複数の基板が基板番号の小さい順で搬送される順序を含むことを特徴とする請求項２に記載の基板処理方法。
【手続補正２】
【補正対象書類名】明細書
【補正対象項目名】００１１
【補正方法】変更
【補正の内容】
【００１１】
好ましい態様は、前記基板の厚さ、前記基板の直径、または前記基板に形成された切り欠き部の形状に従って前記複数の基板を複数の基板グループに分けることを特徴とする。
好ましい態様は、前記処理目的の異なる複数の基板を前記複数の処理槽で同時に処理することを特徴とする。
好ましい態様は、前記複数の基板には基板番号が付されており、前記搬送順序は、同一ホルダグループに属する複数の基板が基板番号の小さい順で搬送される順序を含むことを特徴とする。
【手続補正３】
【補正対象書類名】明細書
【補正対象項目名】００２５
【補正方法】変更
【補正の内容】
【００２５】
第２保持部材４２をロックした時、基板側シール部材４６の下方突出部は基板Ｗの表面外周部に圧接される。シール部材４６は均一に基板Ｗに押圧され、これによって基板Ｗの表面外周部と第２保持部材４２との隙間をシールする。同じように、第２保持部材４２をロックした時、ホルダ側シール部材４７の下方突出部は第１保持部材４０の表面に圧接される。シール部材４７は均一に第１保持部材４０に押圧され、これによって第１保持部材４０と第２保持部材４２との間の隙間をシールする。
【手続補正書】
【提出日】平成28年9月2日(2016.9.2)
【手続補正１】
【補正対象書類名】明細書
【補正対象項目名】００３７
【補正方法】変更
【補正の内容】
【００３７】
図１，図２に示す複数の交差溝３５Ａは、所定の間隔をあけて整列配置されており、コア片３１ｍの端面３１ｅの全体に亘って万遍なく形成されている。具体的には、ある横列をつくる隣り合う交差溝３５Ａ，３５Ａの間に、この横列の上又は下に位置する別の横列をつくる交差溝３５Ａが位置している。即ち、各列の交差溝３５Ａの位置が左右方向にずれている。複数の交差溝３５Ａの配置は適宜変更できる。例えば、ある横列をつくる交差溝３５Ａの位置と、この横列の上又は下に位置する別の横列をつくる交差溝３５Ａの位置とが、左右方向及び上下方向に揃っている形態などとすることができる。交差溝３５Ａの個数によって、その他の配置もとり得る。複数の交差溝の配置に関する点は、後述の交差溝３５Ｂ〜３５Ｅなどについても同様である。
【手続補正書】
【提出日】平成28年2月24日(2016.2.24)
【手続補正１】
【補正対象書類名】明細書
【補正対象項目名】０００５
【補正方法】変更
【補正の内容】
【０００５】
しかしながら、従来の遊技機では、所定の乱数の狙い撃ちが可能となって、公正さに欠けるという課題がある。
【手続補正２】
【補正対象書類名】明細書
【補正対象項目名】０００６
【補正方法】変更
【補正の内容】
【０００６】
本発明は、所定の乱数の狙い撃ちを防止し、遊技の公正さを確保することを目的とする。
【手続補正３】
【補正対象書類名】明細書
【補正対象項目名】０００７
【補正方法】変更
【補正の内容】
【０００７】
上記課題を解決するために、請求項１に記載の発明は、
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技の進行を制御する遊技制御手段と、
所定数を更新範囲としてカウンタ値を循環して更新する乱数生成手段と、
遊技盤の遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行う普図抽選手段と、
前記普図抽選手段による前記普図変動ゲームの結果を、所定の変動時間が経過したことに対応して停止表示する普図制御手段と、
前記遊技領域へ遊技球を発射する発射手段と、を備え、
前記普図抽選手段は、前記特別遊技状態の終了後、
所定の条件を満たしている場合には、遊技者に有利な抽選確率である普図高確状態で抽選する一方で、前記所定の条件を満たしていない場合には、普図低確状態で抽選し、
前記普図始動入球領域への遊技球の入球に対応して、前記乱数生成手段よりカウンタ値を取得し、取得した当該カウンタ値を利用して抽選を行い、
前記発射手段は、
所定の周波数の発振信号を発生する発振手段を備え、
前記発振信号の周波数に基づく所定の発射周期で遊技球の発射を行い、
前記乱数生成手段で更新されるカウンタ値の更新範囲は、前記発射周期と前記乱数生成手段で前記更新範囲に属するすべてのカウンタ値が更新される更新周期との同期間隔が前記変動表示ゲームの最大変動時間よりも長くなるように設定され、
前記乱数生成手段で更新されるカウンタ値の更新範囲に対応して前記乱数生成手段で前記更新範囲に属するすべてのカウンタ値が更新される更新周期が決定されることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明によれば、所定の乱数の狙い撃ちを防止し、遊技の公正さを確保することができるという効果がある。
【手続補正１０】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技の進行を制御する遊技制御手段と、
所定数を更新範囲としてカウンタ値を循環して更新する乱数生成手段と、
遊技盤の遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行う普図抽選手段と、
前記普図抽選手段による前記普図変動ゲームの結果を、所定の変動時間が経過したことに対応して停止表示する普図制御手段と、
前記遊技領域へ遊技球を発射する発射手段と、を備え、
前記普図抽選手段は、前記特別遊技状態の終了後、
所定の条件を満たしている場合には、遊技者に有利な抽選確率である普図高確状態で抽選する一方で、前記所定の条件を満たしていない場合には、普図低確状態で抽選し、
前記普図始動入球領域への遊技球の入球に対応して、前記乱数生成手段よりカウンタ値を取得し、取得した当該カウンタ値を利用して抽選を行い、
前記発射手段は、
所定の周波数の発振信号を発生する発振手段を備え、
前記発振信号の周波数に基づく所定の発射周期で遊技球の発射を行い、
前記乱数生成手段で更新されるカウンタ値の更新範囲は、前記発射周期と前記乱数生成手段で前記更新範囲に属するすべてのカウンタ値が更新される更新周期との同期間隔が前記変動表示ゲームの最大変動時間よりも長くなるように設定され、
前記乱数生成手段で更新されるカウンタ値の更新範囲に対応して前記乱数生成手段で前記更新範囲に属するすべてのカウンタ値が更新される更新周期が決定されることを特徴とする遊技機。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
排せつ物を受け入れるように構成された吸収パッドであって、
第１の角部、第２の角部、第３の角部、及び第４の角部が周囲縁に沿って互いに離れた関係に配置されるように矩形状を有する周囲縁によって取り囲まれた収集領域を含む基部層と、
前記第１の角部、前記第２の角部、前記第３の角部、及び前記第４の角部のみにおいて前記基部層に摺動可能に取り付けられたひもとを備え、
前記基部層は、開位置から閉位置に移動するように構成され、
前記基部層は、前記基部層が前記開位置にあるとき、ほぼ平坦になるように構成され、それにより、前記基部層が前記開位置にあるとき前記ひもは前記周囲縁の全体に沿って配設されるように構成され、
前記基部層は、前記ひもを前記第１の角部、前記第２の角部、前記第３の角部、および前記第４の角部の各々において前記基部層に対して摺動させることによって前記開位置から前記閉位置に移動するように構成され、それによって閉位置において、前記周囲縁は、前記第１の角部、前記第２の角部、前記第３の角部、および前記第４の角部の各々において引き寄せられて包みを形成し、前記ひもは、前記第１の角部、前記第２の角部、前記第３の角部、および前記第４の角部の各々の間を延在する前記周囲縁に沿って配置されない、吸収パッド。
【請求項２】
前記ひもは輪として形成される、請求項１に記載の吸収パッド。
【請求項３】
前記基部層は、第１の層と、前記周囲縁の形状に対応するリング層とをさらに備え、
前記リング層は、前記基部層が前記開位置にあるとき、前記ひもが前記リング層と前記第１の層の間に配設されるように構成され、
前記リング層は、前記基部層が前記閉位置にあるとき、前記第１の場所、前記第２の場所、前記第３の場所、および前記第４の場所において前記周囲縁に摺動可能に取り付けられない前記ひもの部分が、前記リング層と前記第１の層の間に配設されないように構成される、請求項１に記載の吸収パッド。
【請求項４】
前記リング層は、前記収集領域を取り囲む内縁と、前記内縁を取り囲む外縁とを有し、
前記リング層は、前記内縁において前記基部層に動作可能に取り付けられ、それにより、前記基部層が前記閉位置にあるとき、前記第１の場所、前記第２の場所、前記第３の場所、および前記第４の場所において前記周囲縁に摺動可能に取り付けられない前記ひもの部分は、前記リング層と前記第１の層の間に配設されない、請求項３に記載の吸収パッド。
【請求項５】
前記第１の角部、前記第２の角部、前記第３の角部、および前記第４の角部の各々において拘束具をさらに備え、
前記ひもは、前記拘束具の各々と前記リング層の前記内縁の間に摺動可能に配設され、それにより、前記基部層が閉位置にあるとき、前記拘束具の各々と前記内縁の間に摺動可能に配設されない前記ひもの部分は、前記リング層と前記第１の層の間に配設されない、請求項４に記載の吸収パッド。
【請求項６】
前記リング層は、前記内縁と前記外縁の間に少なくとも１つの開口部を画定して、前記ひもを握るためのアクセスを提供する、請求項５に記載の吸収パッド。
【請求項７】
前記リング層は、前記第１の角部、前記第２の角部、前記第３の角部、および前記第４の角部の各々において開口部を画定する、請求項６に記載の吸収パッド。
【請求項８】
前記第１の層は、吸収性材料から形成される、請求項３に記載の吸収パッド。
【請求項９】
前記基部層は、流体不浸透性材料から形成された第２の層を含み、それにより、前記第１の層は、前記リング層と前記第２の層の間に配設される、請求項８に記載の吸収パッド。
【請求項１０】
前記基部層は、
吸収性材料から形成された第１の層と、
液体が前記吸収パッドを通過して漏れることを防止するように構成された流体不浸透性材料から形成された第２の層と、を有する、請求項１に記載の吸収パッド。
【請求項１１】
排せつ物を受け入れるように構成された吸収パッドであって、
第１の角部、第２の角部、第３の角部、及び第４の角部が周囲縁に沿って互いに離れた関係に配置されるように矩形状を有する周囲縁によって取り囲まれた収集領域を含む基部層であって、前記第１の角部、前記第２の角部、前記第３の角部、及び前記第４の角部の各々は通路を画定する、基部層と、
前記第１の角部、前記第２の角部、前記第３の角部、及び前記第４の角部の各々においてのみ前記基部層に摺動可能に取り付けられるように、前記通路の各々を通じて摺動可能に延在するひもとを備え、
前記基部層は、開位置から閉位置に移動するように構成され、
前記基部層が前記開位置にあるとき前記ひもは前記周囲縁の全体に沿って配設されるように、前記基部層は、前記基部層が前記開位置にあるとき、ほぼ平坦になるように構成され、
前記基部層は、前記ひもを基部層に対して前記通路を通じて摺動させることによって前記開位置から前記閉位置に移動するように構成され、それによって前記周囲縁は、前記第１の角部、前記第２の角部、前記第３の角部、および前記第４の角部の各々において引き寄せられて包みを形成し、前記ひもは、前記第１の角部、前記第２の角部、前記第３の角部、および前記第４の角部の各々の間を延在する前記周囲縁に沿って配置されない、吸収パッド。
【請求項１２】
さらに、各通路を覆う蓋部を有する、請求項１１に記載の吸収パッド。
【請求項１３】
前記ひもは輪として形成される、請求項１１に記載の吸収パッド。
【請求項１４】
前記基部層は、
吸収性材料から形成された第１の層と、
液体が前記吸収パッドを通過して漏れることを防止するように構成された流体不浸透性材料から形成された第２の層と、を有する、請求項１１に記載の吸収パッド。
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第1の波長を含んだ光を被検眼に向けて照射する第１照射手段と、
前記第１波長の照射に基づく第1の画像を取得する第1画像取得手段と、
前記第１波長とは異なる第２の波長を含んだ光を被検眼に向けて照射する第２照射手段と、
前記第２波長の照射に基づく第２の画像を取得する第２画像取得手段と、
前記第１画像と前記第２画像の略同一となる眼底部位の画像データを比較演算し、該比較演算を複数の部位に対して行った演算結果画像を生成する演算手段と、
を備えたことを特徴とする眼底撮影装置。
【請求項２】
請求項１に記載の眼底撮影装置であって、
第１画像の取得、または前記第２画像の取得を開始するためのトリガ信号を入力するトリガ信号入力手段を備え、
前記トリガ信号に基づいて、前記第１画像の取得と、前記第２画像の取得と、前記演算結果画像の生成とを一連の流れとして自動で行う制御手段を備える、
ことを特徴とする眼底撮影装置。
【請求項３】
請求項１または２に記載の眼底撮影装置であって、
前記第１波長光の照射と前記第２波長光の照射とを同時に行うと共に、前記第１画像の取得と前記第２画像の取得とを同時に行う、
ことを特徴とする眼底撮影装置。
【請求項４】
請求項１〜３のいずれか１項に記載の眼底撮影装置であって、
前記第１画像と前記第２画像とは被検眼の眼底で生じる蛍光反応を取得した蛍光画像である、
ことを特徴とする眼底撮影装置。
【手続補正２】
【補正対象書類名】明細書
【補正対象項目名】０００５
【補正方法】変更
【補正の内容】
【０００５】
上記課題を解決するために、本発明は以下のような構成を備えることを特徴とする。
（１）  第1の波長を含んだ光を被検眼に向けて照射する第１照射手段と、前記第１波長の照射に基づく第1の画像を取得する第1画像取得手段と、前記第１波長とは異なる第２の波長を含んだ光を被検眼に向けて照射する第２照射手段と、前記第２波長の照射に基づく第２の画像を取得する第２画像取得手段と、前記第１画像と前記第２画像の略同一となる眼底部位の画像データを比較演算し、該比較演算を複数の部位に対して行った演算結果画像を生成する演算手段と、を備えたことを特徴とする。
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
遊技機に対応して設けられ、
遊技者が所有する所有価値を受け付ける受付手段と、
前記受付手段が受け付けた所有価値を記憶する記憶手段と、
前記記憶手段に記憶される所有価値を用いて、遊技価値を付与するための付与処理を行う付与処理手段と、
返却操作を受け付けた場合に、前記記憶手段に記憶される所有価値から該付与処理に供された付与価値を減じた付与後残価値を特定可能な遊技用媒体を返却するための返却処理を行う返却処理手段と、
を有する遊技用装置であって、
前記受付手段が受け付けた所有価値の大きさが所定価値である場合は、受け付けた所有価値の全部を前記記憶手段に記憶し、
前記受付手段が受け付けた所有価値の大きさが所定価値より大きい場合は、受け付けた所有価値の一部を前記記憶手段に記憶し、前記返却操作の有無に関わらず、前記受付手段が受け付けた所有価値のうち前記記憶手段に記憶される一部以外の記憶残価値を特定可能な遊技用媒体を返却するための処理を行うことを特徴とする遊技用装置。
【手続補正２】
【補正対象書類名】明細書
【補正対象項目名】０００１
【補正方法】変更
【補正の内容】
【０００１】
本発明は、遊技機に対応して設けられ、遊技者が所有する所有価値を受け付ける受付手段と、受付手段が受け付けた所有価値を記憶する記憶手段と、記憶手段に記憶される所有価値を用いて、遊技価値を付与するための付与処理を行う付与処理手段と、返却操作を受け付けた場合に、記憶手段に記憶される所有価値から該付与処理に供された付与価値を減じた付与後残価値を特定可能な遊技用媒体を返却するための返却処理を行う返却処理手段と、を有する遊技用装置に関する。
【手続補正３】
【補正対象書類名】明細書
【補正対象項目名】０００６
【補正方法】変更
【補正の内容】
【０００６】
本発明は、前記課題を解決するために、次のような手段を採る。なお後述する発明を実施するための形態の説明及び図面で使用した符号を参考のために括弧書きで付記するが、本発明の構成要素は該付記したものには限定されない。
まず請求項１に係る発明は、
遊技機に対応して設けられ、
遊技者が所有する所有価値を受け付ける受付手段と、
前記受付手段が受け付けた所有価値を記憶する記憶手段と、
前記記憶手段に記憶される所有価値を用いて、遊技価値を付与するための付与処理を行う付与処理手段と、
返却操作を受け付けた場合に、前記記憶手段に記憶される所有価値から該付与処理に供された付与価値を減じた付与後残価値を特定可能な遊技用媒体を返却するための返却処理を行う返却処理手段と、
を有する遊技用装置であって、
前記受付手段が受け付けた所有価値の大きさが所定価値である場合は、受け付けた所有価値の全部を前記記憶手段に記憶し、
前記受付手段が受け付けた所有価値の大きさが所定価値より大きい場合は、受け付けた所有価値の一部を前記記憶手段に記憶し、前記返却操作の有無に関わらず、前記受付手段が受け付けた所有価値のうち前記記憶手段に記憶される一部以外の記憶残価値を特定可能な遊技用媒体を返却するための処理を行うことを特徴とする遊技用装置である。
これによれば、遊技者が所有する所有価値の、遊技への使い過ぎを防止できる。
【手続補正４】
【補正対象書類名】明細書
【補正対象項目名】０００７
【補正方法】変更
【補正の内容】
【０００７】
また手段１に係る発明は、
遊技機（パチンコ機１０）に対応して設けられ、
遊技者が所有する価値（紙幣２，プリペイドカード３，持玉カード，会員カード）を受け付けたこと（Ｓ１０１，Ｓ１０２でＹＥＳ）に基づいて、該受け付けた受付価値（受付額，カード残額，持玉数，貯玉数）を前記対応する遊技機での遊技に使用可能とする使用可能処理（残度数記憶処理，持玉数記憶処理，貯玉数記憶処理）を行う使用可能処理手段（Ｓ１１７，Ｓ１０８の処理を行うユニット制御部２１）と、
該使用可能処理により使用可能とされた使用可能価値（残度数，持玉数，貯玉数）を前記対応する遊技機での遊技に使用させる使用処理（玉貸処理，持玉数返却処理，貯玉再プレイ処理）を行う使用処理手段（Ｓ１３５の処理を行うユニット制御部２１）と、
前記使用可能価値から該使用処理に供された使用価値を減じた使用後残価値を特定可能な記録媒体を返却するための返却処理を行う返却処理手段（Ｓ１２６の処理を行うユニット制御部２１）と、
を有する遊技用装置（カードユニット２０）であって、
前記使用可能処理手段は、前記使用可能処理として、前記受付価値が所定価値未満であること（Ｓ１１６でＮＯ）を条件として、該受付価値の全部を前記使用可能価値とする全部使用可能処理（Ｓ１１７）を行うと共に、前記受付価値が所定価値以上であること（Ｓ１１６でＹＥＳ）を条件として、該受付価値のうちの一部を前記使用可能価値とする一部使用可能処理（Ｓ１１８）を行い、
前記返却処理手段は、返却操作を受け付けたこと（Ｓ１２５でＹＥＳ）に基づいて、前記返却処理を行う一方、前記一部使用可能処理が行われたことに基づいて、返却操作を受け付けることなく、前記受付価値のうちの前記使用可能価値とされなかった受付時残価値を特定可能な前記記録媒体を返却するための価値受付時返却処理（Ｓ１１９）を行うことを特徴とする遊技用装置である。
これによれば、受付価値が所定価値以上ならば、該受付価値のうちの一部を使用可能価値とする一部使用可能処理が行われると共に、受付価値のうちの使用可能価値とされなかった受付時残価値を特定可能な記録媒体を返却するための価値受付時返却処理が行われることにより、受付時残価値を遊技に使用するためには記録媒体の受付が必要であるため、遊技への価値の使い過ぎを防止できる。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
遊技の進行を統括制御する主制御手段と、
該主制御手段からの制御コマンドに基づき各種演出手段を用いて音声演出および表示演出を実行するサブ制御手段と、
遊技者による操作が可能な操作手段と、
遊技球が入球可能な始動口と、を備え、
前記始動口への入球に起因して図柄の変動表示を行う遊技機において、
前記サブ制御手段は、
前記図柄の変動表示に係る図柄変動表示演出を含む通常演出と、
該通常演出の実行中か否かに拘わらず所定の実行時期の到来により開始し且つ前記図柄の変動表示の開始又は終了に拘わらず所定の終了時期の到来まで継続すると共に前記図柄変動表示演出を含まない特別演出と、に係る演出制御を行い、
前記特別演出の所定の実行時期に係る計時を行う計時手段と、
前記操作手段の操作結果に因り通常演出又は特別演出の何れを他方より優位な優位演出とするかについて決定する優位演出決定手段と、
前記特別演出と前記通常演出が重複して実行されるとき、前記優位演出決定手段により決定された優位演出に係る前記表示演出を優先実行する優位演出優先実行手段と、を備え、
前記優位演出優先実行手段が何れを優先実行したかに関わらず、音声演出は前記特別演出に係る演出を実行すること、
を特徴とする遊技機。
【手続補正２】
【補正対象書類名】明細書
【補正対象項目名】０００９
【補正方法】変更
【補正の内容】
【０００９】
上記課題に鑑みてなされた請求項１に記載の発明は、
遊技の進行を統括制御する主制御手段と、
該主制御手段からの制御コマンドに基づき各種演出手段を用いて音声演出および表示演出を実行するサブ制御手段と、
遊技者による操作が可能な操作手段と、
遊技球が入球可能な始動口と、を備え、
前記始動口への入球に起因して図柄の変動表示を行う遊技機において、
前記サブ制御手段は、
前記図柄の変動表示に係る図柄変動表示演出を含む通常演出と、
該通常演出の実行中か否かに拘わらず所定の実行時期の到来により開始し且つ前記図柄の変動表示の開始又は終了に拘わらず所定の終了時期の到来まで継続すると共に前記図柄変動表示演出を含まない特別演出と、に係る演出制御を行い、
前記特別演出の所定の実行時期に係る計時を行う計時手段と、
前記操作手段の操作結果に因り通常演出又は特別演出の何れを他方より優位な優位演出とするかについて決定する優位演出決定手段と、
前記特別演出と前記通常演出が重複して実行されるとき、前記優位演出決定手段により決定された優位演出に係る前記表示演出を優先実行する優位演出優先実行手段と、を備え、
前記優位演出優先実行手段が何れを優先実行したかに関わらず、音声演出は前記特別演出に係る演出を実行すること、
を特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
ポリアクリル酸及びポリビニルピロリドンを含むハイドロゲルを形成するためのフィルムであって、ポリアクリル酸又はポリビニルピロリドンのいずれか一方の溶液から乾燥状態のフィルム状固形物を調製し、得られた該フィルム状固形物に対して残りの一方の溶液を接触させた後に乾燥して得ることができるフィルム。
【請求項２】
ポリアクリル酸の溶液から乾燥状態のフィルム状固形物を調製し、得られた該フィルム状固形物にポリビニルピロリドンの溶液を接触させた後に乾燥して得ることができる請求項１に記載のフィルム。
【請求項３】
ポリアクリル酸の溶液及び／又はポリビニルピロリドンの溶液がポリビニルアルコールを含む請求項１又は２に記載のフィルム。
【請求項４】
ポリアクリル酸及びポリビニルピロリドンを含むハイドロゲルを形成するためのフィルムの製造方法であって、ポリアクリル酸又はポリビニルピロリドンのいずれか一方の溶液から乾燥状態のフィルム状固形物を調製する工程、及び得られた該フィルム状固形物に残りの一方の溶液を接触させた後に乾燥する工程を含む方法。
【請求項５】
ポリアクリル酸及びポリビニルピロリドンを含むハイドロゲルを形成するためのシートであって、ポリアクリル酸又はポリビニルピロリドンのいずれか一方の溶液から乾燥状態のフィルム状固形物を調製し、得られた該フィルム状固形物に対して残りの一方と水溶性高分子とを含む溶液を接触させた後に凍結し、該凍結物を凍結乾燥して得ることができるシート。
【請求項６】
ポリアクリル酸の溶液から乾燥状態のフィルム状固形物を調製し、得られた該フィルム状固形物にポリビニルピロリドンとヒアルロン酸とを含む溶液を接触させた後に凍結し、該凍結物を凍結乾燥して得ることができる請求項５に記載のシート。
【請求項７】
ポリアクリル酸及びポリビニルピロリドンを含むハイドロゲルを形成するためのシートの製造方法であって、ポリアクリル酸又はポリビニルピロリドンのいずれか一方の溶液から乾燥状態のフィルム状固形物を調製し、得られた該フィルム状固形物に対して残りの一方と水溶性高分子とを含む溶液を接触させた後に凍結し、該凍結物を凍結乾燥する工程を含む方法。
【請求項８】
請求項１ないし３のいずれかに記載のフィルム、又は請求項５若しくは６に記載のシートを含む医療用処置材。
【請求項９】
癒着防止材、止血材、又は創傷被覆材である請求項８に記載の医療用処置材。
【手続補正２】
【補正対象書類名】明細書
【補正対象項目名】００８１
【補正方法】変更
【補正の内容】
【００８１】
例８：臨床研究における止血の評価（２）
ワーファリンを服用している患者に抜歯を施した後、抜歯窩に(d)に記載の本発明のス
ポンジに載せたところ、スポンジがゲル化しながら接着し、速やかな止血が達成された。
＜付記事項＞
［付記１］
ポリアクリル酸及びポリビニルピロリドンを含むハイドロゲルを形成するためのフィルムであって、ポリアクリル酸又はポリビニルピロリドンのいずれか一方の溶液から乾燥状態のフィルム状固形物を調製し、得られた該フィルム状固形物に対して残りの一方の溶液を接触させた後に乾燥して得ることができるフィルム。
［付記２］
ポリアクリル酸の溶液から乾燥状態のフィルム状固形物を調製し、得られた該フィルム状固形物にポリビニルピロリドンの溶液を接触させた後に乾燥して得ることができる付記１に記載のフィルム。
［付記３］
ポリアクリル酸の溶液及び/又はポリビニルピロリドンの溶液がポリビニルアルコールを含む付記１又は２に記載のフィルム。
［付記４］
ポリアクリル酸及びポリビニルピロリドンを含むハイドロゲルを形成するためのフィルムの製造方法であって、ポリアクリル酸又はポリビニルピロリドンのいずれか一方の溶液から乾燥状態のフィルム状固形物を調製する工程、及び得られた該フィルム状固形物に残りの一方の溶液を接触させた後に乾燥する工程を含む方法。
［付記５］
ポリアクリル酸及びポリビニルピロリドンを含むハイドロゲルを形成するためのスポンジであって、水溶性高分子の存在下においてポリアクリル酸及びポリビニルピロリドンを混合した溶液を凍結乾燥して得ることができるスポンジ。
［付記６］
水溶性高分子の存在下においてポリアクリル酸の水溶液にポリビニルピロリドンの水溶液を混合して得られる水溶液を凍結乾燥して得ることができる付記５に記載のスポンジ。
［付記７］
水溶性高分子がヒアルロン酸又はその塩である付記５又は６に記載のスポンジ。
［付記８］
ポリアクリル酸及びポリビニルピロリドンを含むハイドロゲルを形成するためのスポンジの製造方法であって、水溶性高分子の存在下においてポリアクリル酸及びポリビニルピロリドンを混合した溶液を凍結乾燥する工程を含む方法。
［付記９］
水溶性高分子がヒアルロン酸又はその塩である付記８に記載の方法。
［付記１０］
ポリアクリル酸及びポリビニルピロリドンを含むハイドロゲルを形成するための紙状シートであって、ポリアクリル酸又はポリビニルピロリドンのいずれか一方の溶液から乾燥状態のフィルム状固形物を調製し、得られた該フィルム状固形物に対して残りの一方と水溶性高分子とを含む溶液を接触させた後に凍結し、該凍結物を凍結乾燥して得ることができる紙状シート。
［付記１１］
ポリアクリル酸の溶液から乾燥状態のフィルム状固形物を調製し、得られた該フィルム状固形物にポリビニルピロリドンとヒアルロン酸とを含む溶液を接触させた後に凍結し、該凍結物を凍結乾燥して得ることができる付記１０に記載の紙状シート。
［付記１２］
ポリアクリル酸及びポリビニルピロリドンを含むハイドロゲルを形成するための紙状シートの製造方法であって、ポリアクリル酸又はポリビニルピロリドンのいずれか一方の溶液から乾燥状態のフィルム状固形物を調製し、得られた該フィルム状固形物に対して残りの一方と水溶性高分子とを含む溶液を接触させた後に凍結し、該凍結物を凍結乾燥する工程を含む方法。
［付記１３］
ポリアクリル酸及びポリビニルピロリドンを含むハイドロゲルを形成するための粉末であって、ポリアクリル酸及びポリビニルピロリドンを混合した溶液の液滴を乾燥させることにより得られる粉末。
［付記１４］
上記溶液を噴霧乾燥することにより得られる付記１３に記載の粉末。
［付記１５］
ポリアクリル酸及びポリビニルピロリドンを含むハイドロゲルを形成するための粉末であ
って、水溶性高分子の存在下においてポリアクリル酸及びポリビニルピロリドンを混合し
た溶液を凍結乾燥して得ることができる固体を粉砕することにより得られる粉末。
［付記１６］
付記１ないし３のいずれかに記載のフィルム、付記５ないし７のいずれかに記載のスポンジ、又は付記１０ないし１１のいずれかに記載の紙状シート、又は付記１３ないし１５のいずれかに記載の粉末を含む医療用処置材。
［付記１７］
癒着防止材、止血材、又は創傷被覆材である付記１６に記載の医療用処置材。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
複数ページの画像データを生成する生成手段と、
前記生成手段によって生成された前記複数ページの画像データを記憶する記憶手段と、
所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定されなかった場合は、前記複数ページの画像データの全てが前記記憶手段に記憶された後に、逆順で印刷を開始するように印刷手段を制御し、前記所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定された場合は、前記複数ページの画像データの全てが前記記憶手段に記憶される前に、正順で印刷を開始するように前記印刷手段を制御する制御手段と、
を備えることを特徴とする印刷制御装置。
【請求項２】
前記制御手段は、前記所定の後処理を第１の位置へ実行する場合は、印刷に使用するシートの枚数に応じた前記制御を行い、前記所定の後処理を第２の位置へ実行する場合は、印刷に使用するシートの枚数に関わらず前記複数ページの画像データの全てが前記記憶手段に記憶される前に、正順で印刷を開始するように前記印刷手段を制御することを特徴とする請求項１に記載の印刷制御装置。
【請求項３】
前記所定の後処理の実行が指定されていない場合は、前記制御手段は、前記複数ページの画像データの全てが前記記憶手段に記憶される前に、正順で印刷を開始するように前記印刷手段を制御することを特徴とする請求項１または２に記載の印刷制御装置。
【請求項４】
前記制御手段は、前記所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定されなかった場合は、前記所定の後処理を実行したシートを排出するよう後処理手段を制御し、前記所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定された場合は、前記所定の後処理を実行することなくシートを排出するよう前記後処理手段を制御することを特徴とする請求項１乃至３のいずれか１項に記載の印刷制御装置。
【請求項５】
前記所定の後処理は、シートを綴じる綴じ処理であることを特徴とする請求項１乃至４のいずれか１項に記載の印刷制御装置。
【請求項６】
前記所定の後処理は、針を使用せずにシートを綴じる綴じ処理であることを特徴とする請求項５に記載の印刷制御装置。
【請求項７】
前記所定の後処理は、シートにパンチ穴を形成するパンチ処理であることを特徴とする請求項１乃至４のいずれか１項に記載の印刷制御装置。
【請求項８】
前記制御手段は、少なくとも、前記記憶手段に記憶される画像データのページ数と、両面印刷の設定とに基づいて印刷に使用するシートの枚数を判断することを特徴とする請求項１乃至７のいずれか１項に記載の印刷制御装置。
【請求項９】
前記制御手段は、少なくとも、前記記憶手段に記憶される画像データのページ数と、Ｎｉｎ１の設定とに基づいて印刷に使用するシートの枚数を判断することを特徴とする請求項１乃至７のいずれか１項に記載の印刷制御装置。
【請求項１０】
外部装置から印刷データを受信する受信手段を更に備え、
前記生成手段は、外部装置から受信した印刷データに基づいて、前記複数ページの画像データを生成することを特徴とする請求項１乃至９のいずれか１項に記載の印刷制御装置。
【請求項１１】
原稿を読み取って画像データを生成する読取手段を更に備え、
前記生成手段は、前記読取手段を制御して、前記複数ページの画像データを生成することを特徴とする請求項１乃至９のいずれか１項に記載の印刷制御装置。
【請求項１２】
複数ページの画像データを生成する生成工程と、
所定の後処理の実行が指定されている場合であって、且つ、前記複数ページの画像データの全てが記憶部に記憶される前に、印刷に使用するシートの枚数が前記所定の後処理を実行可能なシートの枚数を超えると判定されなかった場合は、前記複数ページの画像データの全てが前記記憶部に記憶された後に、逆順で印刷を開始するように印刷工程を制御し、前記所定の後処理の実行が指定されている場合であって、且つ、前記複数ページの画像データの全てが前記記憶部に記憶される前に、印刷に使用するシートの枚数が前記所定の後処理を実行可能なシートの枚数を超えると判定された場合は、前記複数ページの画像データの全てが前記記憶部に記憶される前に、正順で印刷を開始するように前記印刷工程を制御する制御工程と、
を備えることを特徴とする印刷制御方法。
【請求項１３】
請求項１２に記載の印刷制御方法をコンピュータに実行させるためのプログラム。
【手続補正２】
【補正対象書類名】明細書
【補正対象項目名】発明の名称
【補正方法】変更
【補正の内容】
【発明の名称】印刷制御装置、印刷制御方法及びプログラム
【手続補正３】
【補正対象書類名】明細書
【補正対象項目名】０００１
【補正方法】変更
【補正の内容】
【０００１】
本発明は、画像の印刷を制御する印刷制御装置に関するものである。
【手続補正４】
【補正対象書類名】明細書
【補正対象項目名】０００９
【補正方法】変更
【補正の内容】
【０００９】
本発明は、上記の課題に鑑みてなされたものである。本発明は、印刷すべきシートの枚数が後処理の上限枚数を超えた場合にまで、逆順印刷の実行のための時間がかかることを防ぐことを目的とする。
【手続補正５】
【補正対象書類名】明細書
【補正対象項目名】００１０
【補正方法】変更
【補正の内容】
【００１０】
本発明の印刷制御装置は、複数ページの画像データを生成する生成手段と、前記生成手段によって生成された前記複数ページの画像データを記憶する記憶手段と、所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定されなかった場合は、前記複数ページの画像データの全てが前記記憶手段に記憶された後に、逆順で印刷を開始するように印刷手段を制御し、前記所定の後処理の実行が指定されている場合であって、且つ、前記複数ページの画像データの全てが前記記憶手段に記憶される前に、印刷に使用するシートの枚数が前記所定の後処理を実行可能なシートの枚数を超えると判定された場合は、前記複数ページの画像データの全てが前記記憶手段に記憶される前に、正順で印刷を開始するように前記印刷手段を制御する制御手段と、を備えることを特徴とする。
【手続補正６】
【補正対象書類名】明細書
【補正対象項目名】００１１
【補正方法】変更
【補正の内容】
【００１１】
本発明によれば、印刷すべきシートの枚数が後処理の上限枚数を超えた場合にまで、逆順印刷の実行のための時間がかかることを防ぐことができる。
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
印刷媒体に印刷を行なう印刷装置であって、
画像を表わす画像データを入力し、ドットの形成の有無を表わすドットデータを生成するハーフトーン処理を行なうハーフトーン処理部と、
インク吐出用の複数のノズルを有する印刷ヘッドと、
前記印刷ヘッドを、を前記印刷媒体に対して主走査方向及び副走査方向に相対移動させると共に、前記ドットデータに従って、前記ノズルからインクを吐出させ、前記印刷媒体にドットを形成する印刷部と
を備え、
前記ハーフトーン処理された後のドットデータに基づく印刷が、先行の印刷媒体から後続の印刷媒体に亘って行なわれるとき、先行する印刷媒体での印刷終了位置または後続の印刷媒体における印刷開始位置を、前記先行する印刷媒体での印刷で実施される主走査回数に応じて決定する
印刷装置。
【請求項２】
請求項１記載の印刷装置であって、
前記先行の印刷媒体における前記印刷の終了位置を、前記先行の印刷媒体における印刷可能領域の終端よりも手前の所定の位置とする
印刷装置。
【請求項３】
請求項１記載の印刷装置であって、
前記後続の印刷媒体における前記印刷の開始位置を、前記後続の印刷媒体における印刷可能領域の始端よりも後ろの所定の位置とする
印刷装置。
【請求項４】
請求項１記載の印刷装置であって、
更に、所定幅分に相当する前記ドットデータを記憶する記憶部を備え、
前記先行の印刷媒体の終端まで前記印刷を行なった後、前記後続の印刷媒体の所定の位置まで、前記記憶部に記憶したドットデータを用いて、前記先行の印刷媒体おける前記終端の印刷を重複して行ない、前記所定の位置から新たなドットデータによる印刷を継続する
印刷装置。
【請求項５】
前記後続の印刷媒体に、前記位置を判別可能なマーキングを行なう請求項４記載の印刷装置。
【請求項６】
請求項２に記載の印刷装置であって、
前記ハーフトーン処理部は、予め閾値の配置が決定されたディザマスクを用いるディザ法により前記ドットデータを生成し、
前記先行する印刷媒体における前記所定の位置を、前記後続の印刷媒体での印刷を開始する際に、前記ディザマスクにおける各ノズルの位置と該各ノズルの位置に適用され各閾値との対応関係が保持される位置とする
印刷装置。
【請求項７】
請求項３ないし請求項５のいずれか一項に記載の印刷装置であって、
前記ハーフトーン処理部は、予め閾値の配置が決定されたディザマスクを用いるディザ法により前記ドットデータを生成し、
前記後続する印刷媒体における前記所定の位置を、前記所定の位置で印刷を開始する際に、前記ディザマスクにおける各ノズルの位置と該各ノズルの位置に適用され各閾値との対応関係が保持される位置とする
印刷装置。
【請求項８】
請求項６または請求項７に記載の印刷装置であって、
前記印刷ヘッドの前記複数のノズルは、前記副走査方向に配列され、
前記ディザマスクにおける前記対応関係は、前記印刷媒体上の各位置のドットを前記複数のノズルのうちのいずれのノズルで形成するかを示すノズルパターンの繰返しの最小単位における各位置と、該各位置に適用される前記ディザマスクの各々の閾値の値との間の対応関係である
印刷装置。
【請求項９】
請求項８記載の印刷装置であって、
前記ディザマスクは、所定の範囲のインクデューティの印刷領域において、前記印刷ヘッドに設けられ、インクを吐出する複数のノズルを前記副走査方向に配列したノズル列の両端に配置されたノズル、または、前記ノズル列の両端に配置されたノズルとして働くノズルである最先端ノズルの少なくとも一方を含み、該少なくとも一方の最先端ノズルから所定幅の間に配置された先端ノズルがインクを吐出する割合である先端ノズル使用率が、前記複数のノズルから前記先端ノズルを除いた中間ノズルがインクを吐出する割合である中間ノズル使用率よりも小さくなるように、前記複数の閾値が設定された
印刷装置。
【請求項１０】
前記主走査回数は、前記ノズルパターンの繰り返しの最小単位内の主走査の回数である請求項８または請求項９記載の印刷装置。
【請求項１１】
インク吐出用の複数のノズルを有する印刷ヘッドを印刷媒体に対して主走査方向及び副走査方向に相対移動させながら、前記ノズルから吐出するインクによって前記印刷媒体上にドットを形成して印刷を行う印刷方法であって、
画像を表わす画像データを入力し、前記ドットの形成の有無を表わすドットデータを生成するハーフトーン処理を行ない、
前記印刷ヘッドを、を前記印刷媒体に対して主走査方向及び副走査方向に相対移動させると共に、前記ドットデータに従って、前記ノズルからインクを吐出させ、前記印刷媒体にドットを形成し、
前記ハーフトーン処理された後のドットデータに基づく印刷が、先行の印刷媒体から後続の印刷媒体に亘って行なわれるとき、先行する印刷媒体での印刷終了位置または後続の印刷媒体における印刷開始位置を、前記先行する印刷媒体での印刷で実施される主走査回数に応じて決定する
印刷方法。
【請求項１２】
コンピュータにより実行可能に記録媒体に記録され、インク吐出用の複数のノズルを有する印刷ヘッドを印刷媒体に対して主走査方向及び副走査方向に相対移動させながら、前記ノズルから吐出するインクによって前記印刷媒体上にドットを形成させて印刷を行なわせるプログラムであって、
画像を表わす画像データを入力し、前記ドットの形成の有無を表わすドットデータを生成するハーフトーン処理を行なう機能と、
前記印刷ヘッドを、を前記印刷媒体に対して主走査方向及び副走査方向に相対移動させると共に、前記ドットデータに従って、前記ノズルからインクを吐出させ、前記印刷媒体にドットを形成する機能と、
前記ハーフトーン処理された後のドットデータに基づく印刷が、先行の印刷媒体から後続の印刷媒体に亘って行なわれるとき、先行する印刷媒体での印刷終了位置または後続の印刷媒体における印刷開始位置を、前記先行する印刷媒体での印刷で実施される主走査回数に応じて決定する機能と
をコンピュータにより実現するプログラム。
【請求項１３】
印刷媒体に印刷を行なう印刷装置であって、
画像を表わす画像データを入力し、ドットの形成の有無を表わすドットデータを生成するハーフトーン処理を行なうハーフトーン処理部と、
インク吐出用の複数のノズルを有する印刷ヘッドと、
前記印刷ヘッドを、を前記印刷媒体に対して主走査方向及び副走査方向に相対移動させると共に、前記ドットデータに従って、前記ノズルからインクを吐出させ、前記印刷媒体にドットを形成する印刷部と
を備え、
前記ハーフトーン処理された後のドットデータに基づく印刷が、先行の印刷媒体から後続の印刷媒体に亘って行なわれるとき、後続の印刷媒体における印刷速度は、前記先行の印刷媒体における印刷速度に比べて遅い
印刷装置。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
超音波を送受信する超音波プローブと、
前記超音波プローブに直接的あるいは間接的に設けられた、穿刺針を穿刺対象部位へ誘導される角度を所定範囲内で許容するよう規制するための壁部を有するガイド機構と、
前記超音波プローブで受信したエコー信号から超音波画像を生成する画像処理部と、
前記超音波画像を表示する表示部と、
前記ガイド機構の形状を模したマーカを、前記表示部に表示された前記超音波画像の上部に出力するマーカ出力部と、
を備えた超音波診断装置。
【請求項２】
前記マーカ出力部は、前記超音波プローブと前記超音波画像との位置関係から、前記ガイド機構の位置に対応する前記マーカの出力位置を特定し、特定した出力位置に前記マーカを出力する請求項１に記載の超音波診断装置。
【請求項３】
前記ガイド機構の形状及び位置を含むガイド機構情報を記憶する記憶部と、
前記記憶部が記憶している前記ガイド機構情報の中から、使用する前記ガイド機構に対応する前記ガイド機構情報を選択する選択部と、
前記選択部が選択したガイド機構情報に基づき前記マーカを作成するマーカ作成部と、
を備えた請求項２に記載の超音波診断装置。
【請求項４】
前記画像処理部は、前記ガイド機構の少なくとも大半が被検体内に挿入された状態の超音波プローブにより受信されたエコー信号から超音波画像を生成する請求項１に記載の超音波診断装置。
【手続補正２】
【補正対象書類名】明細書
【補正対象項目名】０００９
【補正方法】変更
【補正の内容】
【０００９】
上記課題を解決するために、実施形態の超音波診断装置は、超音波プローブと、ガイド機構と、画像処理部と、表示部とを備える。画像処理部は、超音波プローブにより受信されたエコー信号に基づいて超音波画像を生成する。ガイド機構は、穿刺針を穿刺対象部位へ誘導される角度を所定範囲内で許容するよう規制するための壁部を有する。表示部は、超音波画像及びその上部にガイド機構の形状を模したマーカを、表示させる。